(57)【要約】【課題】ネックレス部材を連結部材へワンタッチで係止することができる長さを調節できるネックレス等の装身具を提供しようとするものである。【解決手段】弾性を備えた金属製の帯状板材を、所定の間隔の中空部分を有するように筒状に折り曲げて連結部材を形成するとともに、厚さ方向に沿って交差させた帯状板材の両側端部の一方をほぼ直角に折り返して第１の挟着片を形成し、第１の挟着片の基部から帯状板材の長さ方向に沿ってガイド孔を設け、両側端部の他方をほぼ直角に折り返して第２の挟着片を形成し、第２の挟着片を上記ガイド孔から第１の挟着片と同じ向きに突き出させ、金属製の帯状板材に加圧しながら上記第１の挟着片と第２の挟着片の間隔を広げた状態でその間に線状のネックレス部材を差し込んだ後に、上記ガイド孔から上記帯状板材で構成した中空部分へネックレス部材の先端を引き出し、帯状板材の弾性を利用して上記第１の挟着片と第２の挟着片との間で線状のネックレス部材を挟み付けて保持するようにしたことを特徴とする長さを調節できるネックレス等の装身具。【選択図】    図１
2005065804.tif 000002
【特許請求の範囲】
【請求項１】
弾性を備えた金属製の帯状板材を、所定の間隔の中空部分を有するように筒状に折り曲げて連結部材を形成するとともに、厚さ方向に沿って交差させた帯状板材の両側端部の一方をほぼ直角に折り返して第１の挟着片を形成し、第１の挟着片の基部から帯状板材の長さ方向に沿ってガイド孔を設け、両側端部の他方をほぼ直角に折り返して第２の挟着片を形成し、第２の挟着片を上記ガイド孔から第１の挟着片と同じ向きに突き出させ、金属製の帯状板材に加圧しながら上記第１の挟着片と第２の挟着片の間隔を広げた状態でその間に線状のネックレス部材を差し込んだ後に、上記ガイド孔から上記帯状板材で構成した中空部分へネックレス部材の先端を引き出し、帯状板材の弾性を利用して上記第１の挟着片と第２の挟着片との間で線状のネックレス部材を挟み付けて保持するようにしたことを特徴とする長さを調節できるネックレス等の装身具。
【請求項２】
第１の挟着片と第２の挟着片とが、それぞれ金属製の帯状板材で構成した中空部分の外側または内側に向けて形成されていることを特徴とする請求項１記載の長さを調節できるネックレス等の装身具。
【請求項３】
第２の挟着片が、両側端部の他方の端部近傍に基部を備えて反対方向に向かう折り返し片を設け、この折り返し片をほぼ直角に折り返して形成されていることを特徴とする請求項１または２記載の長さを調節できるネックレス等の装身具。
【請求項４】
帯状板材で構成した中空部分へ引き出されたネックレス部材の先端が、帯状板材からなる中空部分からその側面開口部に向けて引き出したり、所定の長さに切断することができるようにしたことを特徴とする請求項１ないし３の何れかに記載の長さを調節できるネックレス等の装身具。
【請求項５】
ネックレス部材の基端部が、帯状板材で構成した中空部分の帯状板材の両側端部と対向する側壁に設けた挿通孔に挿通され、端部を結束したり、抜止め部材を取り付けて抜け止めしたことを特徴とする請求項１ないし４のいずれかに記載の長さを調節できるネックレス等の装身具。
【発明の詳細な説明】
【技術分野】
【０００１】
この発明は、長さを調節できるネックレス等の装身具に関し、特に連結部材への長手ひも状のネックレス部材の挿通や係止の操作が簡単で、そのような操作をワンタッチで行なうことが可能な長さを調節できるネックレス等の装身具に関する。
【背景技術】
【０００２】
従来、用いられていたこの種の長さを調節できるネックレス等の装身具としては、例えば登録実用新案第３０７６８８１号公報（特許文献１参照）に記載されているような、係止部材の一面の一端に軸支部を介してその一端が回動自在に設けられ直線状又は曲折状をなすレバーと、係止部材の他端に形成されレバーの他端が係止される一対の係止片とを備え、係止部材の一面とレバーの裏面との間に長手ひも状部材を保持するようにしたものが知られている。
【特許文献１】登録実用新案第３０７６８８１号公報
【発明の開示】
【発明が解決しようとする課題】
【０００３】
しなしながら従来の長さを調節できるネックレス等の装身具は、以上のように構成されていたため、次のような課題が存在していた。
まず、係止部材とこれに一端を軸着したレバーとの間に長手ひも状部材を介在させた上、レバーの他端を係止部材に形成した一対の係止片に係止する必要があり、長手ひも状部材を係止部材に押し付けながら、レバーの他端を係止部材に形成した一対の係止片に押し込んで係止するという操作が面倒である。
【０００４】
また、レバーの他端を係止部材に形成した一対の係止片で係止しているため、レバーを係止する操作のたびに一対の係止片が磨耗しやすく、耐久性に問題があり、しかもレバーの係止部材への軸着部分が甘くなりやすく、一対の係止片との係合に問題が起きやすいという欠点があった。
【０００５】
この発明は、以上のような課題を解決するためになされたもので、ネックレス部材を連結部材へワンタッチで係止することができる長さを調節できるネックレス等の装身具を提供しようとするものである。
また、弾性を備えた金属製の帯状板材を筒状に折り曲げて連結部材を形成し、その端部に設けた第１の挟着片および第２の挟着片の間にネックレス部材を挿通して挟み付けるようにして、金属製の帯状板材の弾性を有効に活用し、耐久性を飛躍的に向上させた長さを調節できるネックレス等の装身具を提供することをも目的とする。
しかもほぼ単一の部材のみで構成し、大幅なコスト低減を実現することができる長さを調節できるネックレス等の装身具を提供することをもその目的としている。
【課題を解決するための手段】
【０００６】
すなわち、この発明の長さを調節できるネックレス等の装身具は、弾性を備えた金属製の帯状板材を、所定の間隔の中空部分を有するように筒状に折り曲げて連結部材を形成するとともに、厚さ方向に沿って交差させた帯状板材の両側端部の一方をほぼ直角に折り返して第１の挟着片を形成し、第１の挟着片の基部から帯状板材の長さ方向に沿ってガイド孔を設け、両側端部の他方をほぼ直角に折り返して第２の挟着片を形成し、第２の挟着片を上記ガイド孔から第１の挟着片と同じ向きに突き出させ、金属製の帯状板材に加圧しながら上記第１の挟着片と第２の挟着片の間隔を広げた状態でその間に線状のネックレス部材を差し込んだ後に、上記ガイド孔から上記帯状板材で構成した中空部分へネックレス部材の先端を引き出し、帯状板材の弾性を利用して上記第１の挟着片と第２の挟着片との間で線状のネックレス部材を挟み付けて保持するようにしたことを特徴とするものである。
【０００７】
この発明の長さを調節できるネックレス等の装身具は、上記第１の挟着片と第２の挟着片とが、それぞれ金属製の帯状板材で構成した中空部分の外側または内側に向けて形成されていることをも特徴とするものである。
【０００８】
この発明の長さを調節できるネックレス等の装身具は、上記第２の挟着片が、両側端部の他方の端部近傍に基部を備えて反対方向に向かう折り返し片を設け、この折り返し片をほぼ直角に折り返して形成されていることをも特徴とするものである。
【０００９】
この発明の長さを調節できるネックレス等の装身具は、上記帯状板材で構成した中空部分へ引き出されたネックレス部材の先端が、帯状板材からなる中空部分からその側面開口部に向けて引き出したり、所定の長さに切断することができるようにしたことをも特徴とするものである。
【００１０】
この発明の長さを調節できるネックレス等の装身具は、上記ネックレス部材の基端部が、帯状板材で構成した中空部分の帯状板材の両側端部と対向する側壁に設けた挿通孔に挿通され、端部を結束したり、抜止め部材を取り付けて抜け止めしたことをも特徴とするものである。
【発明の効果】
【００１１】
この発明は、以上のように構成したので、ネックレス部材を連結部材へワンタッチで係止することが可能な長さを調節できるネックレス等の装身具を提供できるようになった。
また、弾性を備えた金属製の帯状板材を筒状に折り曲げて連結部材を形成し、その端部に設けた第１の挟着片および第２の挟着片の間にネックレス部材を挿通して挟み付けるようにして、金属製の帯状板材の弾性を有効に活用できるようにしたので、耐久性を飛躍的に向上させた長さを調節できるネックレス等の装身具を提供することが可能となった。
しかもほぼ単一の部材のみで構成したので、大幅なコスト低減を実現することが可能な長さを調節できるネックレス等の装身具を提供することができる。
【発明を実施するための最良の形態】
【００１２】
以下、図面に基いてこの発明による長さを調節できるネックレス等の装身具の最良の実施の形態について詳細に説明する。
図１はこの発明の長さを調節できるネックレス等の装身具の１実施例を示す概略側面図、図２は連結部材の常態における拡大断面図、図３は連結部材を構成する金属製の帯状板材に加圧しながら第１の挟着片と第２の挟着片の間隔を広げた状態の拡大断面図、図４は第１の挟着片と第２の挟着片の間でネックレス部材を挟み付けた状態の拡大断面図、図５（ａ）は連結部材を組み付ける前の正面図、（ｂ）は第１の挟着片と第２の挟着片の間でネックレス部材を挟み付けた状態の正面図である。
【００１３】
図１において、ネックレス１１を構成する線状のネックレス部材１９はこの発明を適用した連結部材１２により連結されている。すなわち、連結部材１２は弾性を備えた金属製の帯状板材１３を、所定の間隔の中空部分を有するように筒状に折り曲げて形成してある。そして、厚さ方向に沿って交差させた連結部材１２を構成する帯状板材１３の両側端部の一方１４をほぼ直角に折り返して第１の挟着片１５を形成し、第１の挟着片１５の基部から帯状板材１３の長さ方向に沿ってガイド孔１６を設けている。その上で、帯状板材１３の両側端部の他方１７はほぼ直角に折り返して第２の挟着片１８を形成してある。その状態を図５（ａ）に示す。
【００１４】
上記第１の挟着片１５と第２の挟着片１８とは、それぞれ金属製の帯状板材１３で構成した中空部分の外側または内側に向けて形成されている。なお、図２の実施例では金属製の帯状板材１３で構成した中空部分の外側に向けて形成されている。
【００１５】
上記第２の挟着片１８は、両側端部の他方１７の端部近傍に切り込みを形成することにより、基部を備えて反対方向に向かう折り返し片を設け、この折り返し片をほぼ直角に折り返したものである。
【００１６】
そして、図２のように、第２の挟着片１８を上記ガイド孔１６から第１の挟着片１５と同じ向きに突き出させることにより組み付ける。その状態では、第１の挟着片１５と第２の挟着片１８とは金属製の帯状板材１３の弾性で互いに接する方向に付勢されている。すなわち、第１の挟着片１５と第２の挟着片１８との間は閉じた状態である。
【００１７】
以上の構成を備えた長さを調節できるネックレス等の装身具は、図２のような状態から、指等で金属製の帯状板材１３に外側から加圧することにより、図３のように、上記第１の挟着片１５と第２の挟着片１８の間隔を広げることができる。そして、広げた状態で上記第１の挟着片１５と第２の挟着片１８の間に線状のネックレス部材１９を差し込んだ後に、上記ガイド孔１６から上記帯状板材１３で構成した中空部分へネックレス部材１９の先端を引き出す。その後、図４および図５（ｂ）のように、金属製の帯状板材１３への加圧を解くと、帯状板材１３はその弾性で第１の挟着片１５と第２の挟着片１８との間で、線状のネックレス部材１９を挟み付けて保持する。
【００１８】
ところで、上記第１の挟着片１５と第２の挟着片１８は双方、あるいはいずれかを向き合う面に対して凹状に形成しておくことが望ましい。このようにしておけば第１の挟着片１５と第２の挟着片１８との間で、線状のネックレス部材１９を確実に挟み付けて保持するが可能となる。
【００１９】
なお、上記帯状板材１３で構成した中空部分へ引き出されたネックレス部材１９の先端は、帯状板材１３からなる中空部分からその側面開口部に向けて引き出したり、所定の長さに切断することができる。
【００２０】
この発明の長さを調節できるネックレス等の装身具は、上記ネックレス部材１９の基端部が、帯状板材１３で構成した中空部分の帯状板材１３の両側端部と対向する側壁に設けた挿通孔２０に挿通されて連結される。すなわち、図１ないし図５のように、ネックレス部材１９の端部を中空部分内で結束したり、かしめリング等の抜止め部材（図示せず）を取り付けて抜け止めすることもできる。
なお、上記ネックレス部材１９としては、チェーンや多数の駒の連結体、軟質の合成樹脂やシリコンゴム等があり、この発明は軟質の合成樹脂やシリコンゴム等の連結に好適に適用することができる。
また、ネックレス部材１９に各種の装飾部材２１を挿通して飾ることができ、装飾部材２１は服装や季節、その他の条件に応じて適宜取り替えることが可能である。
【産業上の利用可能性】
【００２１】
本発明による長さを調節できるネックレス等の装身具は、ネックレス以外にもペンダントやブレスレット、アンクレット、携帯電話のストラップその他の用途にも利用することが可能である。
【図面の簡単な説明】
【００２２】
【図１】この発明の長さを調節できるネックレス等の装身具の１実施例を示す概略側面図である。
【図２】連結部材の常態における拡大断面図である。
【図３】連結部材を構成する金属製の帯状板材に加圧しながら第１の挟着片と第２の挟着片の間隔を広げた状態の拡大断面図である。
【図４】第１の挟着片と第２の挟着片の間でネックレス部材を挟み付けた状態の拡大断面図である。
【図５】（ａ）は連結部材を組み付ける前の正面図、（ｂ）は第１の挟着片と第２の挟着片の間でネックレス部材を挟み付けた状態の正面図である。
【符号の説明】
【００２３】
１１  ネックレス部材
１２  連結部材
１３  帯状板材
１４  帯状板材の両側端部の一方
１５  第１の挟着片
１６  ガイド孔
１７  帯状板材の両側端部の他方
１８  第２の挟着片
１９  ネックレス部材
２０  挿通孔
【図１】
2005065804.tif 000003
【図２】
2005065804.tif 000004
【図３】
2005065804.tif 000005
【図４】
2005065804.tif 000006
【図５】
2005065804.tif 000007